(57)【要約】【課題】  病院の入院患者へのお見舞いに最適なお見舞い用贈答品を実現する。【解決手段】  度数情報の他に、発行元を識別する発行元識別情報及びカード固有の識別情報を記録することにより、各病院内で使用している院内プリペイドカードシステムにおいて発行元を認識可能としたプリペイドカードＣと、上記プリペイドカードを収容するカード状のジャケット１よりなり、上記ジャケットには贈り主において任意のメッセージを書き込み可能な領域５を設けると共に、贈り主において任意の写真４を付する手段と、贈り主において音声を録音可能な録音再生手段１０を設ける。【選択図】      図１
0003102177.tif 000002
【実用新案登録請求の範囲】
【請求項１】
度数情報の他に、発行元を識別する発行元識別情報及びカード固有の識別情報を記録することにより、各病院内で使用している院内プリペイドカードシステムにおいて発行元を認識可能としたプリペイドカードと、上記プリペイドカードを収容するカード状のジャケットよりなり、上記ジャケットには贈り主において任意のメッセージを書き込み可能な領域を設けると共に、贈り主において任意の写真を付する手段と、贈り主において音声を録音可能な録音再生手段を設けたことを特徴とするお見舞い用贈答品。
【考案の詳細な説明】
【技術分野】
【０００１】
この考案は、病院の入院患者へのお見舞いに最適なお見舞い用贈答品に関する。
【背景技術】
【０００２】
病院においては、例えば、時間貸しテレビや時間貸し冷蔵庫等の有料使用機器が普及しており、これらの料金徴収手段としてプリペイドカードが使用されている（公知例としては、特許文献１、特許文献２）。上記プリペイドカードは同時に病院内の売店や各種施設、自動販売機等でも通用することが多く、金銭より安全性が高く使い勝手のよいプリペイドカードは入院患者にとって大変重宝なもので、使用割合も多かった。ちなみに、代表的なプリペイドカード使用機器である時間貸しテレビの一カ月当たりの平均費用は３千５百円といわれており、これだけとっても入院患者のプリペイドカードへの依存率が高いことがわかる。
【特許文献１】特開２００１−３２５３７０号公報
【特許文献２】特開平０９−３２６０８５号公報
【考案の開示】
【考案が解決しようとする課題】
【０００３】
ところで、入院患者へのお見舞品としては、古くは花が一般的であったが、現在では花粉の問題がクローズアップされ、花の持ち込みを禁止している病院さえあるのが現状である。又、菓子や果物は患者の病状によっては食べれない場合が多く、かえって迷惑になることもあった。一方、現金には以上のような問題がなく、遠隔地から贈るのにも適しているが、それだけではいかにも露骨で、贈るタイミングが難しいという問題があった。他方、調査によると、入金患者一人当たりに集まるお見舞い品の金銭換算額は約３万円ともいわれており、何かと出費が嵩む入院患者の本音は実は金銭的なお見舞いを望んでいるのが現状であった。
【０００４】
以上の状況から、現金に代わる金銭的なお見舞いの手段として、前記のプリペイドカードが浮上する。しかしながら、プリペイドカードは病院毎に異なる運営主体により発行されており、これに不正使用防止や偽造防止等のセキュリティー上の理由も加わり、当該病院でしか通用しないというのが現状であった。よって、遠隔地からお見舞いとして贈ることは事実上できなかった。この場合、数千種類ある病院の各プリペイドカードの規格を満たすカードを全種類用意することは事実上不可能であった。
【０００５】
一方、プリペイドカードは現金ではないものの、現金に準じるものとして位置付けられており、現金より露骨さは和らぐものの、遠隔地からそれのみをお見舞いとして贈ることは状況によっては不作法になるおそれもあり、お見舞品として使用することには二の足を踏まざるを得なかった。
【課題を解決するための手段】
【０００６】
この考案は以上の従来技術の問題点を解消したお見舞い用贈答品を提供することを目的として創作されたものである。即ち、この考案のお見舞い用贈答品は記録された度数を各病院内で使用している固有の料金徴収システム用の院内プリペイドカードの度数に交換可能なプリペイドカードと、上記プリペイドカードを収容するカード状のジャケットよりなり、上記ジャケットには贈り主において任意のメッセージを書き込み可能な領域を設けると共に、贈り主において任意の写真を付する手段と、贈り主において音声を録音可能な録音再生手段を設けたことを特徴とする。
【考案の効果】
【０００７】
この考案によれば、プリペイドカードに度数情報の他に、発行元を識別する発行元識別情報及びカード固有の識別情報を記録することにより、各病院内で使用している院内プリペイドカードシステムにおいて当該プリペイドカードの発行元を認識可能としているので、当該プリペイドカードの発行元が事前に各病院の院内プリペイドカードシステムの運営業者と提携することにより、各病院において当該プリペイドカードの度数を各病院で使用されている院内プリペイドカードの度数に交換することが可能となる。よって、遠隔地からプリペイドカードをお見舞いとして贈る者は、当該プリペイドカードを購入すれば各病院毎の院内プリペイドカードを購入しなくても済む効果を奏する。
【０００８】
更に、前記プリペイドカードは、贈り主において任意のメッセージを書き込み可能な領域を設けると共に、贈り主において任意の写真を付する手段と、贈り主において音声を録音可能な録音再生手段を設けたジャケットに収容されるので、受け取った患者はジャケットから先ず贈り主のお見舞いのメッセージを受け取ることになり、プリペイドカードはその付属物という印象を受けることとなる。よって、遠隔地からプリペイドカードお見舞いとして贈っても不作法となることがなく、いわばお見舞品の新しい文化が創設されることとなる。
【考案を実施するための最良の形態】
【０００９】
以下、この考案の具体的実施例を添付図面に基づいて説明する。図１及び図２はこの考案のお見舞い用贈答品の一例を示す図である。図中符号１はジャケットであり、ここでは紙等のシート素材によりカード状に構成し、折れ目２により二つ折り可能としている。図中符号３はプリペイドカードＣが固定されるジャケット上の領域であり、この実施例では固定手段として領域の上下に配したフラップ３Ａ、３Ａ間にプリペイドカードを係止する構成を採用しているが、例えば粘着等の他の手段でもよいことは勿論である。図中符号５は贈り主においてメッセージを記入するための領域である。図中符号４は贈り主において付される写真であり、この実施例では写真を付する手段として、このお見舞い用贈答品の販売時に店頭でジャケットにプリンタにより写真を直接印刷することを想定しているが、例えば別途用意した写真を積層や貼着する等の他の手段でもよいことは勿論である。
【００１０】
図２において図中符号１０は贈り主において音声を録音可能な録音再生装置である。この録音再生装置１０は音声をデジタル録音するための音声記録再生ＩＣ１１、電池１３、マイク兼用スピーカ１２、録音スイッチ１４、再生スイッチ１５から構成され、ジャケット１の表面シート１Ａと裏面シート１Ｂ間に内蔵される。この場合、録音スイッチ１４と再生スイッチ１５は押圧により作動するものを採用することにより、ジャケット表面には表示のみでスイッチ自体は露出しない。
【００１１】
プリペイドカードＣには度数情報の他に、発行元を識別する発行元識別情報及びカード固有の識別情報が記録される。プリペイドカードＣの記録媒体として磁気カードの他に、ＩＣカードのように情報を書き込み可能なものや、発行元のみが識別できる固有のナンバーなどが印刷され、更にその部分がスクラッチしないと現れない方式の紙、又はペットカードが例示されるが、その他のものでもよく、上記記録が可能なものであれば媒体種類は問わない。
【００１２】
前記したように、プリペイドカードＣに度数情報の他に、発行元を識別する発行元識別情報及びカード固有の識別情報を記録することにより、各病院内で使用している院内プリペイドカードシステムにおいて当該プリペイドカードの発行元を認識可能としているので、当該プリペイドカードの発行元が事前に各病院の院内プリペイドカードシステムの運営業者と提携することにより、各病院において当該プリペイドカードの度数を各病院で使用されている院内プリペイドカードの度数に交換することが可能となる。
【００１３】
参考までに、前記の交換を可能とするシステムの一例を例示する。図３は上記システムのブロック図である。プリペイドカードＣは、例えばコンビニエンスストアー等に設置された交換装置４０により発券される。このプリペイドカードＣは度数情報の他に、発行元を識別する発行元識別情報及びカード固有の識別情報が記録され、これらのデータは当該プリペイドカードの発行元のサーバ３０のデータベース３１により管理される。このシステムにおいてはプリペイドカードＣの記録媒体として磁気カードのように１回限りで使い捨てるものを想定している。
【００１４】
図中符号Ｈ１・・ＨＮは全国各地の病院であり、各病院には院内プリペイドカードＣＨ用の有料使用機器４１が設けられると共に、前記プリペイドカードＣの度数を院内プリペイドカードの度数に交換するための交換装置４０が設置される。上記交換装置４０はコンピュータによる認証装置を内蔵しており、取り扱い可能なプリペイドカードの発行元を識別する発行元識別情報及びカード固有の識別情報によりそれが真正なものであるかを判断し、カードリーダに挿入されたプリペイドカードＣが取り扱い可能な真正なものと判断した場合は度数を交換した院内プリペイドカードＣＨを発券する。この場合、プリペイドカードＣは１回限りで使い捨てる磁気媒体を使用しているので、カードリーダに挿入されたプリペイドカードはそのまま交換装置内に収容され、それと引き換えに度数を交換した院内プリペイドカードＣＨが発券される。
【００１５】
交換装置４０内に収容された交換済みのプリペイドカードＣは院内プリペイドカードの運営業者により回収され、発行元に清算処理依頼をする。発行元では各業者から送られてきた交換済みのプリペイドカードＣの額面を計算し、規定手数料を差し引いた金額を、運営業者に精算する。
【図面の簡単な説明】
【００１６】
【図１】この考案のお見舞い用贈答品の展開状態の平面図。
【図２】同上、一部切り欠き平面図。
【図３】この考案のお見舞い用贈答品のプリペイドカードが使用されるシステムのブロック図。
【符号の説明】
【００１７】
Ｃ        プリペイドカード
１        ジャケット
４        写真
１０      録音再生手段
【図１】
0003102177.tif 000003
【図２】
0003102177.tif 000004
【図３】
0003102177.tif 000005